【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
作業領域内に配置された加工対象物の加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系と、
前記レーザ発振部および前記レーザ光走査系を制御するためのレーザ制御部と、
所望の加工パターンに加工する加工条件として、加工対象面に応じた３次元形状情報と加工内容情報とを設定するための加工条件設定部と、
前記加工条件設定部で設定された加工条件に従って、加工対象面のレーザ加工データを生成する加工データ生成部と、
前記加工データ生成部で生成されたレーザ加工データのイメージを３次元的に表示可能な表示部と、
を備え、
前記加工条件設定部が、設定済みの加工条件をコピーして新たな加工条件として貼り付けるコピー機能として、
設定済みの加工条件から、３次元形状情報を除いた加工内容情報のみをコピー及び貼り付け可能な内容コピーと、
設定済みの加工条件から、３次元形状情報と加工内容情報とをコピー及び貼り付け可能な形状コピーと、
を備え、コピー機能を実行する際にこれら内容コピーと形状コピーを切り替え可能なコピー切替手段を備えることを特徴とするレーザ加工装置。
【請求項２】
作業領域内に配置された加工対象物の加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系と、
前記レーザ発振部および前記レーザ光走査系を制御するためのレーザ制御部と、
所望の加工パターンに加工する加工条件として、加工対象面に応じた３次元形状情報と加工内容情報とを設定するための加工条件設定部と、
前記加工条件設定部で設定された加工条件に従って、加工対象面のレーザ加工データを生成する加工データ生成部と、
前記加工データ生成部で生成されたレーザ加工データのイメージを３次元的に表示可能な表示部と、
を備え、
前記加工条件設定部が、
設定済みの加工条件から、３次元形状情報を除いた加工内容情報のみをコピー及び貼り付け可能な内容コピー手段と、
設定済みの加工条件から、３次元形状情報と加工内容情報とをコピー及び貼り付け可能な形状コピー手段と、
の少なくともいずれかを備えることを特徴とするレーザ加工装置。
【請求項３】
請求項１又は２に記載のレーザ加工装置であって、
前記レーザ光走査系が、
入射レンズと出射レンズを備えるビームエキスパンダであって、前記レーザ発振部から照射されるレーザ光の光軸に前記入射レンズ及び出射レンズの光軸を一致させた状態で、入射レンズと出射レンズ間の相対距離を変化させてレーザ光の焦点距離を調整可能なビームエキスパンダと、
前記ビームエキスパンダを透過したレーザ光を第１の方向に走査させるための第１のミラーと、
前記第１のミラーで反射されたレーザ光を前記第１の方向と略直交する第２の方向に走査させるための第２のミラーと、
を備え、
前記ビームエキスパンダが、前記入射レンズと出射レンズとの相対距離をこれらの光軸に沿って調整可能なＺ軸スキャナを構成しており、
前記レーザ光走査系が、これらＸ軸スキャナ、Ｙ軸スキャナ、Ｚ軸スキャナでレーザ光をＸ軸、Ｙ軸、Ｚ軸方向に走査可能に構成されてなることを特徴とするレーザ加工装置。
【請求項４】
請求項１又は２に記載のレーザ加工装置であって、
前記加工条件設定部はさらに、複数の加工対象面が配列された状態で、各加工対象面に対し所定の加工内容を一定の加工順序に従ってレーザ光を走査して加工する一括加工モードの加工条件を設定するための一括印字設定手段を備えていることを特徴とするレーザ加工装置。
【請求項５】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定装置であって、
所望の加工パターンに加工する加工条件として、加工対象面に応じた３次元形状情報と加工内容情報とを設定するための加工条件設定部と、
前記加工条件設定部で設定された加工条件に従って、加工対象面のレーザ加工データを生成する加工データ生成部と、
前記加工データ生成部で生成されたレーザ加工データのイメージを３次元的に表示可能な表示部と、
を備え、
前記加工条件設定部が、設定済みの加工条件をコピーして新たな加工条件として貼り付けるコピー機能として、
設定済みの加工条件から、３次元形状情報を除いた加工内容情報のみをコピー及び貼り付け可能な内容コピーと、
設定済みの加工条件から、３次元形状情報と加工内容情報とをコピー及び貼り付け可能な形状コピーと、
を備え、コピー機能を実行する際にこれら内容コピーと形状コピーを切り替え可能なコピー切替手段を備えることを特徴とするレーザ加工データ設定装置。
【請求項６】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定方法であって、
所望の加工パターンに加工する加工条件として、加工対象面に応じた３次元形状情報と加工内容情報とを設定する工程と、
設定済みの加工条件の内から所望の加工条件を選択すると共に、
選択された加工条件から、新たな加工条件としてコピーしたい情報として、加工内容情報のみ、又は３次元形状情報を含めた加工内容情報のいずれかを選択する工程と、
所望の位置に、選択した加工条件の選択した情報を貼り付ける工程と、
を含むことを特徴とするレーザ加工データ設定方法。
【請求項７】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、
所望の加工パターンに加工する加工条件として、加工対象面に応じた３次元形状情報と加工内容情報とを設定する機能と、
設定済みの加工条件の内から所望の加工条件を選択する機能と、
選択された加工条件から、新たな加工条件としてコピーしたい情報として、加工内容情報のみ、又は３次元形状情報を含めた加工内容情報のいずれかを選択する機能と、
所望の位置に、選択した加工条件の選択した情報を貼り付ける機能と、
をコンピュータに実現させることを特徴とするレーザ加工データ設定方法。
【請求項８】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、
所望の加工パターンに加工する加工条件として、加工対象面に応じた３次元形状情報と加工内容情報とを設定する機能と、
設定された加工条件に従って、加工対象面のレーザ加工データを生成する機能と、
生成されたレーザ加工データのイメージを３次元的に表示する機能と、
設定済みの加工条件から、３次元形状情報を除いた加工内容情報のみをコピー及び貼り付ける機能と、
設定済みの加工条件から、３次元形状情報と加工内容情報とをコピー及び貼り付ける機能と、
をコンピュータに実現させることを特徴とするレーザ加工データ設定方法。
【手続補正２】
【補正対象書類名】明細書
【補正対象項目名】発明の名称
【補正方法】変更
【補正の内容】
【発明の名称】レーザ加工装置、レーザ加工条件設定装置、レーザ加工条件設定方法、レーザ加工条件設定プログラム
【手続補正３】
【補正対象書類名】明細書
【補正対象項目名】００１２
【補正方法】変更
【補正の内容】
【００１２】
さらにまた本発明の一実施形態に係るレーザ加工装置は、加工内容が文字列、シンボル又はイメージデータである。
【手続補正４】
【補正対象書類名】明細書
【補正対象項目名】００１３
【補正方法】変更
【補正の内容】
【００１３】
さらにまた第４発明に係るレーザ加工装置は、加工条件設定部がさらに、複数の加工対象面が配列された状態で、各加工対象面に対し所定の加工内容を一定の加工順序に従ってレーザ光を走査して加工する一括加工モードの加工条件を設定するための一括印字設定手段を備えることができる。
【手続補正５】
【補正対象書類名】明細書
【補正対象項目名】００１４
【補正方法】変更
【補正の内容】
【００１４】
さらにまた第５発明に係るレーザ加工データ設定装置は、作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定装置であって、所望の加工パターンに加工する加工条件として、加工対象面に応じた３次元形状情報と加工内容情報とを設定するための加工条件設定部と、加工条件設定部で設定された加工条件に従って、加工対象面のレーザ加工データを生成する加工データ生成部と、加工データ生成部で生成されたレーザ加工データのイメージを３次元的に表示可能な表示部とを備え、加工条件設定部が、設定済みの加工条件をコピーして新たな加工条件として貼り付けるコピー機能として、設定済みの加工条件から、３次元形状情報を除いた加工内容情報のみをコピー及び貼り付け可能な内容コピーと、設定済みの加工条件から、３次元形状情報と加工内容情報とをコピー及び貼り付け可能な形状コピーとを備え、コピー機能を実行する際にこれら内容コピーと形状コピーを切り替え可能なコピー切替手段を備えることができる。
【手続補正６】
【補正対象書類名】明細書
【補正対象項目名】００１５
【補正方法】変更
【補正の内容】
【００１５】
さらにまた第６発明に係るレーザ加工データ設定方法は、作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定方法であって、所望の加工パターンに加工する加工条件として、加工対象面に応じた３次元形状情報と加工内容情報とを設定する工程と、設定済みの加工条件の内から所望の加工条件を選択すると共に、選択された加工条件から、新たな加工条件としてコピーしたい情報として、加工内容情報のみ、又は３次元形状情報を含めた加工内容情報のいずれかを選択する工程と、所望の位置に、選択した加工条件の選択した情報を貼り付ける工程とを含むことができる。
【手続補正７】
【補正対象書類名】明細書
【補正対象項目名】００１６
【補正方法】変更
【補正の内容】
【００１６】
さらにまた第７発明に係るレーザ加工データ設定プログラムは、作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、所望の加工パターンに加工する加工条件として、加工対象面に応じた３次元形状情報と加工内容情報とを設定する機能と、設定済みの加工条件の内から所望の加工条件を選択する機能と、選択された加工条件から、新たな加工条件としてコピーしたい情報として、加工内容情報のみ、又は３次元形状情報を含めた加工内容情報のいずれかを選択する機能と、所望の位置に、選択した加工条件の選択した情報を貼り付ける機能とをコンピュータに実現させることができる。
【手続補正８】
【補正対象書類名】明細書
【補正対象項目名】００１７
【補正方法】変更
【補正の内容】
【００１７】
さらにまた第８発明に係るレーザ加工データ設定プログラムは、作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、所望の加工パターンに加工する加工条件として、加工対象面に応じた３次元形状情報と加工内容情報とを設定する機能と、設定された加工条件に従って、加工対象面のレーザ加工データを生成する機能と、生成されたレーザ加工データのイメージを３次元的に表示する機能と、設定済みの加工条件から、３次元形状情報を除いた加工内容情報のみをコピー及び貼り付ける機能と、設定済みの加工条件から、３次元形状情報と加工内容情報とをコピー及び貼り付ける機能とをコンピュータに実現させることができる。
【手続補正９】
【補正対象書類名】明細書
【補正対象項目名】００１８
【補正方法】変更
【補正の内容】
【００１８】
さらにまた本発明の一実施形態に係るプログラムを格納したコンピュータで読み取り可能な記録媒体又は記録した機器は、上記プログラムを格納するものである。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、Ｂｌｕ−ｒａｙ（登録商標）、ＨＤ
ＤＶＤ等の磁気ディスク、光ディスク、光磁気ディスク、半導体メモリその他のプログラムを格納可能な媒体が含まれる。またプログラムには、上記記録媒体に格納されて配布されるものの他、インターネット等のネットワーク回線を通じてダウンロードによって配布される形態のものも含まれる。さらに記録した機器には、上記プログラムがソフトウェアやファームウェア等の形態で実行可能な状態に実装された汎用もしくは専用機器を含む。さらにまたプログラムに含まれる各処理や機能は、コンピュータで実行可能なプログラムソフトウエアにより実行してもよいし、各部の処理を所定のゲートアレイ（ＦＰＧＡ、ＡＳＩＣ）等のハードウエア、又はプログラムソフトウエアとハードウェアの一部の要素を実現する部分的ハードウエアモジュールとが混在する形式で実現してもよい。